(57)【要約】【課題】電子機器に対して悪影響を及ぼすのを低減できる自動販売機を提供する。【解決手段】販売機本体の底板上に取り付ける取付台38を備える。取付台38に対して上下方向の複数位置に取付可能とする取付板39を備える。取付板39に設けられたメインコントローラユニット26を備える。メインコントローラユニット26の取付高さを変更可能とする。【選択図】図１
2012008859.tif 000002
【特許請求の範囲】
【請求項１】
底板が設けられた販売機本体、およびこの販売機本体の前面に開閉可能に設けられた扉体を有する機体と、
前記販売機本体の底板上に設けられた取付台と、
前記取付台に対して上下方向の複数位置に取付可能とする取付板と、
前記取付板に設けられた電子機器と
を具備していることを特徴とする自動販売機。
【請求項２】
前記扉体の下部側で幅方向の一部に設けられた商品取出口と、
前記販売機本体内に配置され、商品を収納し、投出する商品収納部と、
前記販売機本体内に配置され、前記商品取出口側へ向けて前記販売機本体の幅方向に傾斜する傾斜側面部を有し、前記商品収納部から投出された商品を前記商品取出口に導く商品シュートとを具備し、
前記取付板は、前記取付台に対して、前記電子機器が前記商品シュートの傾斜側面部の下方から前方に露出する低位置と、前記電子機器が前記商品シュートの背面側に隠れる高位置とのいずれかに取付可能とする
ことを特徴とする請求項１記載の自動販売機。
【請求項３】
前記電子機器は、前面下部に表示部を有し、
前記電子機器が前記高位置に位置する状態で、前記電子機器の上部側が前記商品シュートの背面側に隠れ、前記電子機器の前面下部の表示部が前記商品シュートの傾斜側面部の下方から前方に露出する
ことを特徴とする請求項２記載の自動販売機。
【発明の詳細な説明】
【技術分野】
【０００１】
本発明は、販売機本体内に電子機器を配置する自動販売機に関する。
【背景技術】
【０００２】
従来、自動販売機は、この自動販売機の動作を制御するコントローラなどの電子機器を自動販売機内に配置している。
【０００３】
例えば、販売機本体に開閉可能に設けられた扉体の裏蓋に電子機器を取り付けた自動販売機がある（例えば、特許文献１参照。）。この自動販売機では、電子機器が自動販売機の比較的高い位置に取り付けられるため、自動販売機を工場などから設置場所に運搬する際に、電子機器に作用する振動が大きく、この振動の影響で電子機器が故障する原因となりやすい。
【０００４】
また、販売機本体の底板上に電子機器を取り付けた自動販売機がある（例えば、特許文献２参照。）。この自動販売機では、電子機器が自動販売機の低い位置に取り付けられるため、自動販売機を工場や保管場所から設置場所に運搬する際に、電子機器に作用する振動が比較的小さく、電子機器が振動の影響を受けにくくなるが、近年多発する集中豪雨で電子機器が水没するなどの水害の影響を受けやすい。
【先行技術文献】
【特許文献】
【０００５】
【特許文献１】実公平８−２７８６号公報
【特許文献２】特開２００２−２１６２２６号公報
【発明の概要】
【発明が解決しようとする課題】
【０００６】
上述のように、従来の自動販売機では、電子機器を自動販売機の高い位置か、低い位置のいずれかに取り付けているが、状況によってそれぞれの取付高さで電子機器に対して悪影響が生じる問題がある。
【０００７】
本発明は、このような点に鑑みなされたもので、電子機器に対して悪影響を及ぼすのを低減できる自動販売機を提供することを目的とする。
【課題を解決するための手段】
【０００８】
請求項１記載の自動販売機は、底板が設けられた販売機本体、およびこの販売機本体の前面に開閉可能に設けられた扉体を有する機体と、前記販売機本体の底板上に設けられた取付台と、前記取付台に対して上下方向の複数位置に取付可能とする取付板と、前記取付板に設けられた電子機器とを具備しているものである。
【０００９】
請求項２記載の自動販売機は、請求項１記載の自動販売機において、前記扉体の下部側で幅方向の一部に設けられた商品取出口と、前記販売機本体内に配置され、商品を収納し、投出する商品収納部と、前記販売機本体内に配置され、前記商品取出口側へ向けて前記販売機本体の幅方向に傾斜する傾斜側面部を有し、前記商品収納部から投出された商品を前記商品取出口に導く商品シュートとを具備し、前記取付板は、前記取付台に対して、前記電子機器が前記商品シュートの傾斜側面部の下方から前方に露出する低位置と、前記電子機器が前記商品シュートの背面側に隠れる高位置とのいずれかに取付可能とするものである。
【００１０】
請求項３記載の自動販売機は、請求項２記載の自動販売機において、前記電子機器は、前面下部に表示部を有し、前記電子機器が前記高位置に位置する状態で、前記電子機器の上部側が前記商品シュートの背面側に隠れ、前記電子機器の前面下部の表示部が前記商品シュートの傾斜側面部の下方から前方に露出するものである。
【発明の効果】
【００１１】
請求項１記載の自動販売機によれば、電子機器の取付高さを変更可能としたことで、例えば、自動販売機の運搬時には振動の影響を受けにくい低位置に取り付け、自動販売機の設置後は水害の影響を受けにくい高位置に取り付けるなど、状況に応じて適切な取付態様をとり、電子機器に対して悪影響を及ぼすのを低減できる。
【００１２】
請求項２記載の自動販売機によれば、請求項１記載の自動販売機の効果に加えて、電子機器が商品シュートの傾斜側面部の下方から前方に露出する低位置に位置することで、電子機器の操作を容易にでき、また、電子機器を商品シュートの背面側に隠れる高位置に取り付けることで、電子機器に対するいたずらを防止できる。
【００１３】
請求項３記載の自動販売機によれば、請求項２記載の自動販売機の効果に加えて、電子機器が高位置に位置する状態で、電子機器の上部側が商品シュートの背面側に隠れ、電子機器の前面下部の表示部が商品シュートの傾斜側面部の下方から前方に露出するため、電子機器の表示部を容易に確認できる。
【図面の簡単な説明】
【００１４】
【図１】本発明の一実施の形態を示す自動販売機の取付板および電子機器が低位置に位置する斜視図である。
【図２】同上自動販売機の取付板および電子機器が高位置に位置する斜視図である。
【図３】同上自動販売機の取付板および電子機器が低位置に位置する販売機本体の一部の正面図である。
【図４】同上自動販売機の取付板および電子機器が高位置に位置する販売機本体の一部の正面図である。
【図５】同上自動販売機の斜視図である。
【発明を実施するための形態】
【００１５】
以下、本発明の一実施の形態を、図面を参照して説明する。
【００１６】
図５に示すように、自動販売機は、前面を開口した販売機本体11、およびこの販売機本体11の前面に開閉可能に設けられた扉体12によって構成される箱型の機体13を備えている。販売機本体11は、前面のみ開口され、底面には底板14が設けられている。扉体12の前面の上部側には、商品見本展示部や、選択ボタン、貨幣投入口、返却レバーおよび表示部などを含む操作部が設けられており、下部側で幅方向の一部（幅方向の中央より少し左側位置）に商品を取り出す商品取出口15が設けられている。
【００１７】
販売機本体11内には、例えばたばこなどの商品を上下方向に集積収納するコラム17、およびこのコラム17の最下位の商品から順に前方へ投出する投出部18を有する複数の商品収納部19が幅方向に複数列配置され、さらに一部の列では上下方向に複数段配置されている。
【００１８】
販売機本体11内の下部で、商品収納部19より下方に、各商品収納部19から投出される商品を商品取出口15に導く商品シュート21が設けられている。この商品シュート21は、背面板22、商品取出口15の後方に位置してその商品取出口15へ向けて下降傾斜する傾斜前面部23、およびこの傾斜前面部23の両側に位置して商品取出口15側であって傾斜前面部23へ向けて下降傾斜する両側の傾斜側面部24を有している。そして、両側の傾斜側面部24では、両側域の商品収納部19から投出される商品を受け取って傾斜前面部23に導き、また、傾斜前面部23では、傾斜前面部23の上方に位置する中央域の商品収納部19から投出される商品および両側の傾斜側面部24で導かれる商品を受け取って商品取出口15に導く。
【００１９】
販売機本体11内の下部の底板14上で、商品シュート21の傾斜前面部23の一側には、商品シュート21の背面板22の背面側より後側位置に自動販売機の動作を制御する電子機器としてのメインコントローラユニット26および振動を検知する振動センサ27がそれぞれ配置され、前面側で傾斜側面部24の下側位置に通信回線を通じて外部と通信する通信ユニット28、自動販売機内の各機器に電源を供給する電源ユニット29およびカバー30などがそれぞれ配置されている。
【００２０】
メインコントローラユニット26、振動センサ27および通信ユニット28は取付装置31によって販売機本体11の底板14上に取り付けられ、電源ユニット29は販売機本体11の内側壁に取り付けられ、カバー30は販売機本体11の底板14に着脱可能に取り付けられている。
【００２１】
図１ないし図４に示すように、メインコントローラユニット26は、例えばＣＰＵ、ＲＯＭおよびＲＡＭなどを有するメインコントローラ本体を収納する四角形状のケース33を有している。このケース33の背面側の四隅部には、取付装置31側に取り付けるための取付脚34が突設され、また、ケース33の前面下部には、例えばエラー表示を表示する表示部35、およびエラー解除操作するエラー解除ボタンを有する操作部36が設けられている。
【００２２】
また、図１および図２に示すように、取付装置31は、底板14に固定される取付台38、この取付台38に取り付けられる取付板39、および底板14に固定される通信ユニット用取付台40を有している。そして、取付台38に振動センサ27が取り付けられ、取付板39にメインコントローラユニット26が取り付けられ、通信ユニット用取付台40に通信ユニット28が取り付けられている。
【００２３】
取付台38は、例えば金属板で、固定部42、およびこの固定部42から略直角に折曲された支持部43を有する断面略Ｌ字形に形成されている。固定部42が底板14上に複数のねじ44で固定されることにより、支持部43が底板14から上下方向に沿って立ち上がる状態に取り付けられている。この取付台38の一側において、固定部42および支持部43に振動センサ27がねじ止めされ、支持部43にはメインコントローラユニット26と各機器とを接続するケーブルを保持するためのケーブルホルダ45が取り付けられている。
【００２４】
取付板39は、例えば金属板で形成され、前面にメインコントローラユニット26のケース33の各取付脚34がねじ47でそれぞれ固定されている。取付板39には上下方向に沿って複数のスライド溝48が形成され、これらスライド溝48を通じて各段付きねじ49が取付台38の支持部43に固定されている。そのため、取付板39は、段付きねじ49により、取付台38の支持部43に対して上下方向に沿ってスライド可能に取り付けられている。なお、メインコントローラユニット26は、複数の取付脚34によって取付板39の前面に対して背面が離反した状態に取り付けられ、段付きねじ49と干渉しないように構成されている。また、この取付板39によって取付台38の支持部43に取り付けられたメインコントローラユニット26は、商品シュート21の背面板22の背面側より後側に配置されている。
【００２５】
取付板39の下部側で複数箇所には、取付板39を取付台38の支持部43に固定する固定手段としての複数の高さ変更用ねじ50がそれぞれ挿通される複数の挿通孔51が形成されている。そして、取付板39は、高さ変更用ねじ50により、取付台38の支持部43に対して、上下方向の複数位置に取付可能とし、すなわち、図３に示すように、メインコントローラユニット26が商品シュート21の傾斜側面部24の下方から前方に露出する低位置と、図４に示すように、メインコントローラユニット26の上部側を含む大部分が商品シュート21の背面側に隠れるとともに少なくとも表示部35および操作部36が商品シュート21の傾斜側面部24の下方から前方に露出する高位置とのいずれか一方に取付可能とする。
【００２６】
そのため、取付台38の支持部43には、取付板39を取り付ける低位置に対応して高さ変更用ねじ50が螺合する複数の取付孔52（図２参照）が形成されているとともに、高位置に対応して高さ変更用ねじ50が螺合する取付孔（図示していないが取付孔52と同じである）が形成されている。
【００２７】
取付板39の下縁にはメインコントローラユニット26の操作部36の前方に対向配置されるカバー部53が形成されている。操作部36を操作する場合には、メインコントローラユニット26とカバー部53との隙間を通じて操作部36を操作するか、カバー部53を下方へ弾性変形させて退避させることにより操作部36を操作可能とする。
【００２８】
取付板39の前面一側には、メインコントローラユニット26と各機器とを接続するケーブルを保持するためのケーブルホルダ54が取り付けられている。取付板39のケーブルホルダ54と取付台38のケーブルホルダ45との間でのケーブルの長さは、メインコントローラユニット26が低位置から高位置に移動するのを許容する長さが確保されている。
【００２９】
また、通信ユニット用取付台40は、例えば金属板で、固定部56、この固定部56から略直角に折曲された支持部57、およびこの支持部57から略直角に折曲された連結部58を有している。連結部58が取付台38の支持部43の背面側に配置され、支持部43の前面側から挿通されるねじ59で連結部58が支持部43に固定されている。固定部56が底板14上にねじ60で固定され、支持部43が底板14から上下方向に沿って立ち上がる状態に取り付けられている。
【００３０】
次に、自動販売機の作用について説明する。
【００３１】
自動販売機を設置するまでの初期状態では、図１および図３に示すように、取付板39が低位置に位置し、高さ変更用ねじ50で取付台38に固定されている。そのため、メインコントローラユニット26が取付台38に対して底板14近くの低位置に取り付けられており、メインコントローラユニット26が商品シュート21の傾斜側面部24の下方から前方に露出する。
【００３２】
この状態では、自動販売機を工場から設置場所に例えばトラックなどで運搬する運搬時において、メインコントローラユニット26が取付台38に対して底板14近くの低位置に取り付けられているため、メインコントローラユニット26に作用する振動の影響を少なくでき、メインコントローラユニット26の故障を低減することができる。仮に、メインコントローラユニット26が取付台38に対して高位置に取り付けられていた場合には、メインコントローラユニット26に作用する振動の影響が大きくなり、メインコントローラユニット26が故障する原因となりやすくなる。
【００３３】
また、自動販売機を設置場所に設置した後、販売機本体11の前面側からの操作で、各高さ変更ねじ50を外す。このとき、メインコントローラユニット26が商品シュート21の傾斜側面部24の下方から前方に露出する低位置に位置することで、メインコントローラユニット26の操作を容易にできる。また、カバー30を販売機本体11の底板14から外しておくことにより、カバー30が邪魔にならず、容易に操作できる。
【００３４】
図２および図４に示すように、取付板39を取付台38に対して低位置から高位置へスライドさせ、各高さ変更ねじ50で取付板39を取付台38に対して固定する。これにより、メインコントローラユニット26が底板14より上方に離反した高位置に取り付けられ、自動販売機の運用状態となる。
【００３５】
図４に示すように、高位置に位置するメインコントローラユニット26は、上部側を含む大部分が商品シュート21の背面側に隠れるため、例えば商品取出口15から手や物を入れてメインコントローラユニット26を操作したり壊すようないたずらの発生を防止できる。
【００３６】
しかも、メインコントローラユニット26が高位置に位置する状態で、メインコントローラユニット26の前面下部の表示部35および操作部36は商品シュート21の傾斜側面部24の下方から前方に露出するため、メインコントローラユニット26を低位置に移動させなくても、メインコントローラユニット26の表示部35でのエラー表示の確認や、エラー解除後の操作部36の操作を容易にできる。
【００３７】
また、自動販売機の運用時には、メインコントローラユニット26が底板14より上方に離反した高位置に取り付けられているため、近年多発する集中豪雨の影響で、自動販売機の下部が水没するようなことがあっても、メインコントローラユニット26が水没する可能性が低くなり、メインコントローラユニット26が水害の影響を受けにくくできる。
【００３８】
このように構成された自動販売機によれば、メインコントローラユニット26の取付高さを変更可能としたことで、自動販売機の運搬時には振動の影響を受けにくい低位置に取り付け、自動販売機の設置後は水害の影響を受けにくい高位置に取り付けるなど、状況に応じて適切な取付態様をとり、メインコントローラユニット26に対して悪影響を及ぼすのを低減できる。
【００３９】
なお、取付板39に取り付ける電子機器としては、メインコントローラユニット26に限らず、例えば、振動センサ27、通信ユニット28、電源ユニット29などの他の電子機器でもよい。
【００４０】
また、取付板39を取付台38に固定する固定手段は、高さ変更用ねじ50に限らず、例えばフック構造を用いるなど、他の固定手段の構成を用いてもよい。
【００４１】
また、自動販売機は、たばこなどの商品に限らず、飲料やその他の商品を販売する自動販売機でもよい。
【符号の説明】
【００４２】
11    販売機本体
12    扉体
13    機体
14    底板
15    商品取出口
19    商品収納部
21    商品シュート
24    傾斜側面部
26    電子機器としてのメインコントローラユニット
35    表示部
38    取付台
39    取付板
【図１】
2012008859.tif 000003
【図２】
2012008859.tif 000004
【図３】
2012008859.tif 000005
【図４】
2012008859.tif 000006
【図５】
2012008859.tif 000007